(57)【要約】  高速多チャネル及び線路セレクタスイッチにより、差動チャネルの２つの線路の同時選択が可能になり、適切な高速パッド接続の導入により、多チャネルの同時選択が可能になる。【選択図】図４Ｂ
2007535791.tif 000002
【特許請求の範囲】
【請求項１】
被試験デバイスからの第１の複数の入力線路（３５１）に電気的に結合するよう動作可能な第１の複数の接点（３１１〜３１９）を有し、且つ、第２の複数の出力線路（３５２）に電気的に結合するよう動作可能な第２の複数の接点（３０１〜３０９）を更に有する第１のユニット（３００、５００）と、
前記第１の複数の接点（３１１〜３１９）の中の選択されたものを前記第２の複数の接点（３０１〜３０９）の中の選択されたものに選択的に電気的に結合し、且つ、前記第１の複数の接点（３１１〜３１９）の中の選択されていないものをそれぞれの終端インピーダンスに電気的に結合し、この結果、前記第１の複数の入力線路（３５１）の中の選択されたものが前記第２の複数の出力線路（３５２）の中の選択されたものに結合され、且つ、前記選択されていない入力データ線路が、複数の前記終端インピーダンスに電気的に結合されるようにするべく動作可能な第２のユニット（４００、６００）と、
を備えている高速多チャネル及び線路セレクタスイッチ（４５０）。
【請求項２】
前記第２のユニット（４００、６００）が、前記第１のユニット（３００）に対して回転する能力を有する回転ユニットである、請求項１に記載の高速多チャネル及び線路セレクタスイッチ。
【請求項３】
前記第１の複数の接点（３１１〜３１９）が、第１の円形パターンにおいて構成されており、前記第２の複数の接点（３０１〜３０９）が、第２の円形パターンにおいて構成されており、この結果、前記第１及び第２の円形パターンが同心状になっている、請求項１に記載の高速多チャネル及び線路セレクタスイッチ（４５０）。
【請求項４】
前記第１及び第２の円形パターンの中心は、アライメントピン（４４５）を受け入れる孔（４４６）を具備している、請求項３に記載の高速多チャネル及び線路セレクタスイッチ（４５０）。
【請求項５】
前記回転ユニットが、一定の増分で回転して前記第１の複数の接点（３１１〜３１９）の中の選択されたものを前記第２の複数の接点（３０１〜３０９）の中の選択されたものに電気的に接続し、且つ、前記第１の複数の接点（３１１〜３１９）の中の選択されていないものをそれぞれの終端インピーダンスに電気的に接続し、この結果、前記第１の複数の入力線路（３５１）の中の選択されたものが前記第２の複数の出力線路（３５２）の中の選択されたものに結合され、且つ、前記選択されていない入力データ線路が、複数の前記終端インピーダンスに電気的に結合されるようにするよう動作可能である、請求項２に記載の高速多チャネル及び線路セレクタスイッチ（４５０）。
【請求項６】
前記第１の複数の接点（５１１ａ、ｂ〜５１９ａ、ｂ）と前記第２の複数の接点（５０１ａ、ｂ〜５０９ａ、ｂ）が、ペアとして構成されており、この結果、前記高速多チャネル及び線路セレクタスイッチが、差動チャネルスイッチとして動作可能である、請求項１に記載の高速多チャネル及び線路セレクタスイッチ（４５０）。
【請求項７】
前記第１の円形パターンが、前記第２の円形パターンよりも大きな半径を具備している、請求項３に記載の高速多チャネル及び線路セレクタスイッチ（４５０）。
【請求項８】
前記回転ユニット（４００、６００）が、多層回路基板から構成されている、請求項２に記載の高速多チャネル及び線路セレクタスイッチ（４５０）。
【請求項９】
前記回転ユニット（４００、６００）が、第３の円形パターンとして構成された２Ｎ＋１個の接点と、第４の円形パターンとして構成された２Ｎ＋１個の接点とを有しており、この結果、前記第３及び第４の円形パターンが同心状になっている、請求項２に記載の高速多チャネル及び線路セレクタスイッチ（４５０）。
【請求項１０】
前記第３の円形パターン内の前記２Ｎ＋１個の接点の、前記第４の円形パターン内の前記２Ｎ＋１個の接点に対する電気的接続は、ｊ＝ｋ ｍｏｄ ２Ｎ＋１という式によって決定され、ここで、ｊ及びｋは、それぞれ、前記第３の円形パターン及び前記第４の円形パターン内の前記２Ｎ＋１個の接点の整数ラベルである、請求項９に記載の高速多チャネル及び線路セレクタスイッチ（４５０）。
【発明の詳細な説明】
【背景技術】
【０００１】
出現しつつあるパラレル及びパラレルＣＷＤＭ（Ｃｏａｒｓｅ  ＷａｖｅｌｅｎｇｔｈＤｉｖｉｓｉｏｎ  Ｍｕｌｔｉｐｌｅｘｉｎｇ：低密度波長分割多重）光学相互接続の分野においては、利用可能な装置及び集積回路技術によって決定される妥当なレベルにチャネルの速度を維持しつつ、１モジュール当たりのチャネル数を増大させるという傾向を有している。例えば、１つのシステム内において、最大で１０Ｇｂ／ｓの速度で４８チャネルのモジュールを稼動させることが望ましいであろう。このようなモジュール内においては、チャネルは、通常、それぞれのグループが異なる波長で稼動する１２個からなる４つのグループに構成されている。多数の高速チャネルを具備したシステムの試験及び評価には問題が存在している。それぞれのチャネルを別個に取り扱う一般的な従来の方法を拡張すると、多数の高速ケーブル、コネクタ、終端、大きな評価基板、並びに、試験及び評価のために相当な量の工数が必要となる。従って、このような通常の従来の方法から、例えば、残りのチャネルを適切に終端しつつ、測定時点においてチャネルのサブセットを選択可能な小型のオンボードコンポーネントを使用した更に統合された方法に移行することが望ましい。これにより、必要な高速ケーブル及びコンポーネントの数を大幅に低減することができ、試験構成の複雑性が軽減されることになる。このような統合された試験方法の中心となるのが、多数の高速チャネルから１つ又は複数のチャネルを容易に選択可能とするスイッチである。
【０００２】
チャネルを容易に選択可能とするスイッチの１つが、米国特許出願第１０／６２７３１７号明細書に開示されているＨＣＳＳ（Ｈｉｇｈ−ｓｐｅｅｄ  Ｃｈａｎｎｅｌ  Ｓｅｌｅｃｔｏｒ  Ｓｗｉｔｃｈ（高速チャネルセレクタスイッチ））である（この内容は、本引用により、本明細書に包含される）。ＨＣＳＳは、通常、それぞれ、図１及び図２に示されている２つのユニット（固定ユニット１００及び回転ユニット２００）から構成されている。高速チャネルパッド１２０が、円形のパターンで、円１２５の周りに分散しており、高速チャネルが高速チャネルパッド１２０のそれぞれに電気的に結合されている。回転ユニット２００は、固定ユニット１００に適合したパッドフレームを具備しており、この結果、回転ユニット２００が固定ユニット１００に対して適切に適合された場合に、回転ユニット２００上の外部パッド２２０と固定ユニット１００上の高速チャネルパッド１２０との間の１対１のマッピングが得られる。固定ユニット１００上に導電性のボール又はバンプを配置することにより、高速接続を実現可能である。回転ユニット２００上においては、１つを除いたすべての外部パッド２２０が、伝送線路の短いセグメント２５０によって適切な負荷又はインピーダンスに終端されている。残りの外部パッド２２０は、伝送線路２２５により、中心において、パッド２４０に電気的に結合されている。この結果、すべてのその他のものを終端インピーダンス２７５に対して適切に終端しつつ、１つのチャネルの選択が可能である。回転ユニット２００の一部分２６０が、接地状態に維持されていることに留意されたい。回転ユニット２００を適切な量だけ回転させることにより、任意の高速チャネルを選択することができる。
【発明の開示】
【発明が解決しようとする課題】
【０００３】
しかしながら、このＨＣＳＳスイッチの場合には、一時点で選択できるのが、１つのチャネルのみであり、これは、いくつかの試験アプリケーションにおいて問題となろう。例えば、差動信号と２つの線路を伴うアプリケーションにおいては、ＨＣＳＳスイッチを使用して監視できるのは、一時点において１つの線路のみである。即ち、１つのＨＣＳＳスイッチを使用して両方の線路を同時に監視することはできない。又、ＨＣＳＳスイッチに必要な機械的公差を実装するのは、容易なことではない。パッド１４０及び２４０が、それぞれ、固定ユニット１００と回転ユニット２００の中心に位置しているため、アライメントピンなどのアライメント用の特徴を中心に配置することができない。機械的なハウジングは、通常、回転部、固定部、及びクランピング部といういくつかの部分を具備している。これらの部分のアライメントのために中心を使用できないという事実により、通常、スタックアップ（stack-up）公差が劣化する。機械的ハウジングは、固定ユニットに対して回転ユニットを保持し、ロックするべく機能し、アンロックされている場合には、機械的なハウジングは、一定の増分による回転ユニットの回転を許容する。大きなスタックアップ公差を許容するには、相対的に大きなパッド１４０及び２４０を使用することが必要であり、この結果、パッドサイズの増大に関連したパッドの静電容量の増大に起因し、パッドの高速性能が劣化することになる。
【課題を解決するための手段】
【０００４】
本発明によれば、中央の高速パッドを除去することにより、１つのチャネルしか選択できないという制約を除去して差動チャネルの２つの線路を同時に選択可能であり、且つ、適切な高速パッドによる接続を導入することによって多数のチャネルを同時に選択可能である。又、ＨＭＣＳＳ（Ｈｉｇｈ−ｓｐｅｅｄ  Ｍｕｌｔｉｐｌｅ  Ｃｈａｎｎｅｌ  ａｎｄ  ｌｉｎｅ  Ｓｅｌｅｃｔｏｒ  Ｓｗｉｔｃｈ：高速多チャネル及び線路セレクタスイッチ）の使用によって回転及び固定ユニットの中央における高速パッドのニーズを除去することにより、回転及び固定ユニット間におけるアライメント公差を低減することができる。
【発明を実施するための最良の形態】
【０００５】
（発明の詳細な説明）
本発明による一実施例が図３Ａに示されている。ＨＭＣＳＳ４５０（図４Ｂを参照されたい）の図３ＡのＨＭＣＳＳ固定ユニット３００は、９つの入力チャネルを具備するものとして示されているが、入力チャネルの数は、９つを上回っても、或いは、下回ってもよい。説明を簡単にするべく、本発明によるＨＭＣＳＳは、複数の入力線路から１つ又は複数の線路を選択するという状況において説明されているが、ＨＭＣＳＳは、この逆にも機能する（即ち、１つ又は複数の入力線路を、複数の出力線路の中から選択された線路にルーティングする）。
【０００６】
図３Ａを参照すれば、入力チャネルのそれぞれは、入力線路３５１により、ＨＭＣＳＳ固定ユニット３００の高速パッド３１１〜３１９の中の１つに電気的に結合されている。高速パッド３１１〜３１９は、通常、円形のパターンにおいて、内部円３２１上に均等に分散している。高速パッド３０１〜３０９も、通常、円形のパターンにおいて、外部円３３１上に均等に分散している。外部高速パッド３０１〜３０９の中の１つ（例えば、高速パッド３０１）が、出力線路３５２によって出力チャネルに電気的に結合されており、残りの外部高速パッド（例えば、高速パッド３０２〜３０９）は、出力線路３５３上の負荷に適切に終端されている。本発明の一実施例によれば、内部高速パッド３１１〜３１９の中のいずれか１つを高速パッド３０１にルーティング可能であり、内部高速パッド３１１〜３１９の中の残りのパッドは、残りの外部高速パッド３０２〜３０９の中の１つにルーティングされる。
【０００７】
図３Ｂは、ＨＭＣＳＳ固定ユニット３００の断面３９９を示している。誘電体層３７４及び３７５が、金属被覆された接地プレーン３７１及び３７２の間に挟持されている。パッド３１１及び３０１は、それぞれ、ビア３９１及び３８１を通じて、それぞれ、入力線路３５１及び出力線路３５２に電気的に結合されている。パッド３１１及び３０１が、接地プレーン３７１から電気的に絶縁されていることに留意されたい。
【０００８】
図４Ａは、通常、それぞれ、円形のパターンで、外部円４３１及び内部円４２１上に均等に分散したＨＭＣＳＳ回転ユニット４００の２つの高速パッドの組４０１〜４０９及び４１１〜４１９を示している。ＨＭＣＳＳ固定ユニット３００及びＨＭＣＳＳ回転ユニット４００が適切にアライメントされ、対を成している場合には、ＨＭＣＳＳ４５０（図４Ｂを参照されたい）のＨＭＣＳＳ固定ユニット３００上のパッド３０１〜３０９及び３１１〜３１９と、ＨＭＣＳＳ回転ユニット４００上のパッド４０１〜４０９及び４１１〜４１９の間には、１対１のマッピングが存在している。
【０００９】
本発明によれば、ＨＭＣＳＳ４５０（図４Ｂを参照されたい）のＨＭＣＳＳ回転ユニット４００の内部高速パッド４１１〜４１９が、図４Ａに示されているＨＭＣＳＳ回転ユニット４００の外部高速パッド４０１〜４０９に電気的に結合されている場合には、ＨＭＣＳＳ回転ユニット４００を回転させることにより、ＨＭＣＳＳ固定ユニット３００上において選択的なルーティングを得ることができる。これを実現するべく内部円４２１と外部円４３１の間に必要な電気的な結合が図４Ａに示されている。内部高速パッド４１１、４１３、４１５、４１７、及び４１９は、それぞれ、外部高速パッド４０１、４０２、４０３、４０４、４０５に電気的に結合されており、内部高速パッド４１２、４１４、４１６、４１８は、それぞれ、外部高速パッド４０６、４０７、４０８、４０９に電気的に接続されている。必要な電気的な接続は、例えば、多層回路基板を使用することによって実現可能である。回路基板上における層の数は、通常、使用される伝送線路のタイプによって左右される。ストリップ伝送線路の場合には、層の最少数は、通常、５つであり、コプレーナ導波路の場合には、層の最少数は、通常、２つである。回路基板は、通常、ガラス−セラミック、セラミック、ＰＴＦＥ、ポリイミド、ＦＲ４エポキシ、又はこれらに類似した材料から製造される。
【００１０】
ＨＭＣＳＳ回転ユニット４００は、すべてのパッドが対を成すように、ＨＭＣＳＳ固定ユニット３００に装着される。ＨＭＣＳＳ回転ユニット４００の開始又は０度の位置は、高速パッド３１１が高速パッド４１１とアライメントされ、且つ、高速パッド３０１が高速パッド４０１とアライメントされた際の位置として定義される。この開始位置においては、高速パッド３１１上の入力チャネルが選択され、高速パッド３０１上の出力チャネルにルーティングされる。ＨＭＣＳＳ回転ユニット４００を０度の位置から時計回りに４０度の増分で回転させることにより、高速パッド３０１における出力チャネルにルーティングされる個々の次の入力チャネルが選択される。この選択方式が次の表１に示されている。
【００１１】
【表１】
2007535791.tif 000003
【００１２】
例えば、時計回りに２４０度だけ回転させた場合には、ＨＭＣＳＳ固定ユニット３００のパッド３１７が、ＨＭＣＳＳ回転ユニット４００の高速パッド４１４とアライメントされ、且つ、ＨＭＣＳＳ固定ユニットの高速パッド３０１が、ＨＭＣＳＳ回転ユニット４００のパッド４０７とアライメントされ、この結果、高速パッド３１７と高速パッド３０１の間に電気的な接続が確立される。ＨＭＣＳＳ回転ユニット４００をそれぞれ４０度だけ時計回りに増分的に回転させることにより、内部高速パッド３１１〜３１９の中の１つと外部高速パッド３０１の間に接続が確立されるが、内部円３２１上の残りの高速パッドと外部円３３１上の残りの高速パッドの間にも電気的な接続が確立される。外部高速パッド３０２〜３０９は、負荷又はインピーダンスに終端されているため、残りの入力チャネルも適切に終端される。
【００１３】
ＨＭＣＳＳ固定ユニット３００及びＨＭＣＳＳ回転ユニット４００は、いずれも、中央に高速パッドを具備していないため、図４Ｂに示されているように、アライメントピン４４５を中央に配置可能である。アライメント公差は、アライメントピンホール４４６及びＨＭＣＳＳ回転ユニット４００内のアライメントピンホール（図示されてはいない）のサイズと位置公差によって決定される。例えば、穿孔又はエッチングによってアライメントピンホールを設けるなどの従来の技法を使用することにより、通常、パッドサイズの１０％を下回る公差を実現可能である。
【００１４】
図４Ｃは、ＨＭＣＳＳ回転ユニット４００の断面４９９を示している。誘電体層４７４及び４７５が、金属被覆された接地プレーン４７１及び４７２の間に挟持されており、誘電体層４７６及び４７７が、金属被覆された接地プレーン４７２及び４７３の間に挟持されている。パッド４１１及び４０１は、それぞれ、ビア４９１及び４８１を通じて、接続線路４２０に電気的に結合されている。パッド４１１及び４０１が、接地プレーン４７１から電気的に絶縁されていることに留意されたい。接続線路４２２、４２４は、誘電体層４７５上に配置されており、且つ、接続線路４２９、４２７は、誘電体層４７７上に配置されており、この結果、接続線路４２２は、接続線路４２９の上方において交差可能であり、且つ、接続線路４２４は、接続線路４２７の上方において交差可能になっている。本発明によれば、図４Ａ内の交差しているすべての接続線路は、異なる誘電体層内に位置している。
【００１５】
又、ＨＭＣＳＳ固定ユニット３００及びＨＭＣＳＳ回転ユニット４００の中央に高速パッドが配置されていないため、差動チャネルスイッチ構成を実装することができる。図５は、差動ＨＭＣＳＳ固定ユニット５００を示しており、図６は、差動ＨＭＣＳＳ回転ユニット６００を示しているが、この場合には、ＭＨＣＳＳ固定ユニット３００及びＨＭＣＳＳ回転ユニット４００上のそれぞれの高速パッドが、パッドのペアによって置換されている。図５のＨＭＣＳＳ固定ユニット５００上においては、高速パッドペア５０１ａ、ｂ〜５０９ａ、ｂによって、それぞれ、高速パッド３０１〜３０９が置換されており、高速パッドペア５１１ａ、ｂ〜５１９ａ、ｂによって、それぞれ、高速パッド３１１〜３１９が置換されている。図６のＨＭＣＳＳ回転ユニット６００上においては、高速パッドペア６０１ａ、ｂ〜６０９ａ、ｂによって、それぞれ、高速パッド４０１〜４０９が置換されており、高速パッドペア６１１ａ、ｂ〜６１９ａ、ｂによって、それぞれ、高速パッド４１１〜４１９が置換されている。
【００１６】
以上の説明においては、ＨＭＣＳＳスイッチ内の外部高速パッドの中の１つのみが出力チャネルに電気的に結合されており、残りの外部高速パッドは、負荷又はインピーダンスに終端されていた。しかしながら、残りの外部高速パッドを負荷に終端するのは必須ではない。本発明の一実施例によれば、複数の入力チャネルが選択可能である。残りの高速パッドが終端された状態で、複数の外部高速パッドを複数の内部高速パッドに電気的に結合することができる。本発明の一実施例に従い、次の表２は、図３Ａ及び図４Ａを参照し、２つの入力チャネルを同時に選択する方法の一例を示している。
【００１７】
【表２】
2007535791.tif 000004
【００１８】
表２に示されているように、高速外部パッド３０１及び３０６が出力チャネルに電気的に結合されている。回転ユニット４００を８０度の増分で回転させることにより、入力チャネルを選択することができる。
【００１９】
本発明の一実施例に従い、表３は、一時点において３つの入力チャネルを選択するための接続を示している。この実施例においては、高速外部パッド３０１、３０６、及び３０２が出力チャネルに電気的に結合されている。回転ユニット４００を１２０度の増分で回転させることにより、３つの入力チャネルが選択可能である。
【００２０】
【表３】
2007535791.tif 000005
【００２１】
本発明による実施例においては、入力チャネルは、それぞれ、ＨＭＣＳＳ固定ユニット３００又は５００の内部円３２１又は５２１上の高速パッドに電気的に接続されており、ＨＭＣＳＳ固定ユニット３００又は５００の外部円３３１又は５３１上の１つ又は複数の高速パッドは、それぞれ、出力チャネルに電気的に結合されている。但し、本発明によれば、入力チャネルが固定ユニット７００の外部円７３１上の高速パッドに電気的に結合され、且つ、出力チャネルが、図７の固定ユニット７００の内部円７２１上の高速パッドに電気的に結合されるように、ＨＭＣＳＳスイッチを構成することも可能である。図８は、必要な接続を有するＨＭＣＳＳ回転ユニット８００を示している。高速パッド８０１、８０３、８０５、８０７、及び８０９は、それぞれ、高速パッド８１１、８１２、８１３、８１４、及び８１５に電気的に結合されている。高速パッド８０２、８０４、８０６、８０８は、それぞれ、高速パッド８１６、８１７、８１８、８１９に電気的に結合されている。次の表４は、一時点において１つの入力チャネルを選択するための接続を示している。高速パッド７１１が出力チャネルに電気的に結合されている。
【００２２】
【表４】
2007535791.tif 000006
【００２３】
以上の説明においては、９つのチャネルの特定のケースに焦点をあて本発明による実施例を説明しているが、本発明による実施例は、２Ｎ＋１個のチャネルを具備することができる（ここで、Ｎ＝１、２、３、．．．である）。例えば、回転ユニット４００（この場合には、Ｎ＝４である）などの回転ユニットの場合には、２Ｎ＋１個のパッドのペアが、異なる半径の２つの円（例えば、円４２１及び４３１）上に均等に分散している。例えば、高速パッド４０１及び４１１などのペアの高速パッドは、いずれも、例えば、回転ユニット４００などの回転ユニットのアライメントピンホールからの半径方向の線路上に配置可能であるが、本発明によれば、高速パッドが異なる半径の２つの円上に均等に分散している限り、それぞれのペアの高速パッド間に一定の円周方向オフセットが存在していてもよい。固定ユニット３００などの固定ユニットは、適合する高速パッドの２Ｎ＋１個のぺアを具備している。固定ユニット３００及び回転ユニット４００の場合には、Ｎ＝４であることに留意されたい。高速パッドの２Ｎ＋１個のペアに不可欠な接続は、次のように定義可能である。外部高速パッド及び内部高速パッドの両方に対して反時計回りに連続的に１〜２Ｎ＋１のラベルを付加する。ｊを外部高速パッドの番号とし、ｋを内部高速パッドの番号とする。この結果、本発明によれば、任意の外部パッドｊが、内部高速パッドｋに対して一意に電気的に結合されるか（この場合には、ｋ＝（２ｊ−１） ｍｏｄ ２Ｎ＋１である）、又は、任意の内部高速パッドｋが、外部高速パッドｊに対して一意に電気的に接続される（この場合には、ｊ＝（２ｋ−１） ｍｏｄ ２Ｎ＋１である）。例えば、図４Ａにおいて、ｊ＝１．．．９を、それぞれ、高速パッド４０１．．．４０９に割り当て、ｋ＝１．．．９を、高速パッド４１１．．．４１９に割り当てる。この結果、図４Ａにおいては、高速パッド４０２に対応したｊ＝２を例に挙げると、高速パッド４０２は、高速パッド４１３に対応したｋ＝３に電気的に結合されることになる。
【００２４】
ＨＭＣＳＳを稼動させるのに必要な一定回転増分（単位：度）は、３６０／（２Ｎ＋１）度の整数倍である。２Ｎ＋１が大きくなるに伴って、ＨＭＣＳＳのサイズも、更なる電気接続を収容するべく増大することになる。必要なＨＭＣＳＳのサイズは、基板レイアウトと公差を検討することによって決定可能である。
【００２５】
本発明によれば、偶数のチャネルが望ましい場合には、余分のチャネルを追加して合計チャネル数を奇数とし、余分なチャネルを使用しない。
【００２６】
図９は、例えば、受信機や送信機などの高度にパラレルな光電子モジュール９５０などの被試験デバイスを試験する本発明による評価基板９００の平面図である。ＨＭＣＳＳユニット９０１、９０２、９０３、及び９０４が、入力線路９１０を使用して光電子モジュール９５０に電気的に結合されている。１つ又は複数の出力線路９７１ａ−（ｎ）、９７２ａ−（ｎ）、９７３ａ−（ｎ）、及び９７４ａ−（ｎ）が、それぞれ、ＨＭＣＳＳユニット９０１、９０２、９０３、及び９０４からの１つ又は複数のチャネルを評価装置９４０に提供している。本発明によれば、チャネル構成間における高速のスイッチングを許容しつつ、評価装置９４０により、複数のチャネルをそれぞれのＨＭＣＳＳから同時にサンプリングすることができる。
【００２７】
以上、特定の実施例との関連において本発明について説明したが、以上の説明に鑑み、当業者には、多くの代替、変更、及び変形が明らかであろう。従って、本発明は、添付の請求項の精神及び範囲に属するそれらすべてのその他の代替、変更、及び変形をも包含することを意図するものである。
【図面の簡単な説明】
【００２８】
【図１】従来技術によるＨＣＳＳ固定ユニットを示す図である。
【図２】従来技術によるＨＣＳＳ回転ユニットを示す図である。
【図３Ａ】本発明の一実施例におけるＨＭＣＳＳ固定ユニットを示す図である。
【図３Ｂ】本発明の一実施例におけるＨＭＣＳＳ固定ユニットの断面を示す図である。
【図４Ａ】本発明の一実施例におけるＨＭＣＳＳ回転ユニットを示す図である。
【図４Ｂ】本発明の一実施例におけるＨＭＣＳＳユニットの分解図である。
【図４Ｃ】本発明の一実施例におけるＨＭＣＳＳ回転ユニットの断面を示す図である。
【図５】本発明の一実施例におけるＨＭＣＳＳ固定ユニットを示す図である。
【図６】本発明の一実施例におけるＨＭＣＳＳ回転ユニットを示す図である。
【図７】本発明の一実施例におけるＨＭＣＳＳ固定ユニットを示す図である。
【図８】本発明の一実施例におけるＨＭＣＳＳ回転ユニットを示す図である。
【図９】本発明の一実施例における評価基板を示す図である。
【符号の説明】
【００２９】
３０１〜３０９：第２の複数の接点
３１１〜３１９：第１の複数の接点
３００、５００：第１のユニット
３５１：入力線路
３５２：出力線路
４００、６００：第２のユニット
４５０：高速多チャネル及び線路セレクタスイッチ
４４５：アライメントピン
４４６：孔
５０１ａ、ｂ〜５０９ａ、ｂ：第２の複数の接点
５１１ａ、ｂ〜５１９ａ、ｂ：第１の複数の接点
【図１】
2007535791.tif 000007
【図２】
2007535791.tif 000008
【図３Ａ】
2007535791.tif 000009
【図３Ｂ】
2007535791.tif 000010
【図４Ａ】
2007535791.tif 000011
【図４Ｂ】
2007535791.tif 000012
【図４Ｃ】
2007535791.tif 000013
【図５】
2007535791.tif 000014
【図６】
2007535791.tif 000015
【図７】
2007535791.tif 000016
【図８】
2007535791.tif 000017
【図９】
2007535791.tif 000018